(57)【特許請求の範囲】
【請求項１】
プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を出力するグラフ出力部と、
前記トレンドグラフ画面の出力後に、前記リンク情報に埋め込まれた前記異常状態の発生要因の推定結果である要因候補の出力指示の入力を受け付ける出力指示入力部と、
前記出力指示が入力された場合に、前記要因候補を含む要因候補画面を出力する要因候補出力部と
を備えるプラント管理装置。
【請求項２】
前記要因候補出力部は、複数の要因候補と、各要因候補に係る点検項目とを含む前記要因候補画面を出力する
請求項１に記載のプラント管理装置。
【請求項３】
前記要因候補に係る点検項目を前記プラントのオペレータに通知する点検項目通知部と、
通知した前記点検項目に係る点検結果を取得する点検結果取得部と、
前記点検結果を含む点検結果画面を出力する点検結果出力部と
を備える請求項２に記載のプラント管理装置。
【請求項４】
前記点検結果画面を出力した後に、前記プラントに適用可能なサービスメニューのうち、前記要因候補に関するものを含むサービスメニュー画面を出力するサービスメニュー出力部
をさらに備える請求項３に記載のプラント管理装置。
【請求項５】
前記プラントに関する複数のパラメータを取得するパラメータ取得部と、
取得した前記複数のパラメータを含むパラメータ画面であって、前記複数のパラメータのうち正常範囲内にないパラメータを強調したパラメータ画面を出力するパラメータ出力部と、
前記複数のパラメータのうち１つのパラメータの選択を受け付けるパラメータ選択部と
をさらに備え、
前記トレンドグラフ画面は、選択された前記パラメータに係る前記トレンドグラフを含む
請求項１から請求項４の何れか１項に記載のプラント管理装置。
【請求項６】
前記要因候補画面は、前記要因候補と前記要因候補の確度とを含む
請求項１から請求項５の何れか１項に記載のプラント管理装置。
【請求項７】
前記出力指示入力部は、前記トレンドグラフ画面のうち強調された箇所の選択により、前記出力指示の入力を受け付ける
請求項１から請求項６の何れか１項に記載のプラント管理装置。
【請求項８】
プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を表示することと、
前記トレンドグラフ画面の前記マーカー表示に埋め込まれたリンク情報に基づいて異常状態の対策が必要か否かを判断することと、
前記異常状態の対策が必要であると判断した場合に、前記トレンドグラフ画面の表示中に、前記異常状態の発生要因の推定結果である要因候補の出力指示を入力することと、
前記出力指示が入力された場合に、前記要因候補を含む要因候補画面を表示することと
を有するプラント管理方法。
【請求項９】
コンピュータに、
プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を出力することと、
前記トレンドグラフ画面の出力後に、前記マーカー表示に埋め込まれたリンク情報の前記異常状態の発生要因の推定結果である要因候補の出力指示の入力を受け付けることと、
前記出力指示が入力された場合に、前記要因候補を含む要因候補画面を出力することと
を実行させるためのプログラム。
【請求項１０】
プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を表示し、
前記トレンドグラフ画面と同時に、または前記トレンドグラフ画面に連続して、前記マーカー表示に埋め込まれたリンク情報の前記異常状態の発生要因の推定結果である要因候補を含む要因候補画面を表示する
プラント管理装置。
【発明の詳細な説明】
【技術分野】
【０００１】
本発明は、プラント管理装置、プラント管理方法、およびプログラムに関する。
本願は、２０１６年１１月２４日に日本に出願された特願２０１６−２２７７８９号について優先権を主張し、その内容をここに援用する。
【背景技術】
【０００２】
特許文献１には、故障原因箇所の位置、故障状況、および対処方法を表示することにより、故障の解析を支援する故障解析支援システムが開示されている。
特許文献１に記載の故障解析支援システムによれば、起動直後の初期状態において、プラントを構成する各系統の系統名を表示する監視メニュー画面が表示される。ある系統の故障が検出されると、監視メニュー画面において、故障の検出された系統名が強調して表示される。監視メニュー画面において系統名が選択されると、選択された系統の系統図を含む系統図表示画面が表示される。系統図表示画面には、系統を構成するデバイスのアイコンと、デバイス間の関係を示す線と、デバイスの状態量データと、トリップデータの表示ボタンとが含まれる。系統図表示画面のうち、故障が検出されたデバイスのアイコンは、強調して表示される。系統図表示画面においてデバイスのアイコンが選択されると、選択されたデバイスの故障時の対処方法などのテキストを含むデバイス情報提供画面が表示される。系統図表示画面においてデバイスの状態量データが選択されると、選択された状態量データのトレンドグラフを含むトレンドグラフ画面が表示される。系統図表示画面においてトリップデータの表示ボタンが選択されると、プラントのトリップ前後の状態量データのトレンドグラフを含むトリップデータ画面が表示される。
【先行技術文献】
【特許文献】
【０００３】
【特許文献１】特開平０８−１２９４１５号公報
【発明の概要】
【発明が解決しようとする課題】
【０００４】
引用文献１に記載の発明によれば、故障解析支援システムは、系統図表示画面を基準に、デバイス情報提供画面、トレンドグラフ画面、およびトリップデータ画面に遷移することができる。利用者は、系統図表示画面に含まれる強調されたデバイスのアイコンを視認することで、故障が発生したデバイスを認識し、これを選択することで故障時の対処方法を認識することができる。また、系統図表示画面からトレンドグラフ画面、およびトリップデータ画面に遷移することで、利用者は、異常状態の対策の必要性を認識することができる。【０００５】
一方、系統図表示画面において強調されたデバイスのアイコンが表示されるため、利用者は、故障に対する対処の必要性を認識する前に、故障箇所を認識することとなる。そのため、利用者は異常状態の対策の必要性を認識しないまま、漫然と対処を行う可能性がある。
本発明の目的は、利用者に異常状態の対策の必要性を認識させた上で異常状態の対策を実施させることができるプラント管理装置、プラント管理方法、およびプログラムを提供することにある。
【課題を解決するための手段】
【０００６】
本発明の第１の態様によれば、プラント管理装置は、プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を出力するグラフ出力部と、前記トレンドグラフ画面の出力後に、前記リンク情報に埋め込まれた前記異常状態の発生要因の推定結果である要因候補の出力指示の入力を受け付ける出力指示入力部と、前記出力指示が入力された場合に、前記要因候補を含む要因候補画面を出力する要因候補出力部とを備える。
【０００７】
本発明の第２の態様によれば、第１の態様に係るプラント管理装置は、前記要因候補画面は、複数の要因候補を含み、前記複数の要因候補のうち１つの要因候補の選択を受け付ける要因候補選択部と、選択された前記要因候補に係る点検項目を含む点検項目画面を出力する点検項目出力部とをさらに備えるものであってよい。【０００８】
本発明の第３の態様によれば、第２の態様に係るプラント管理装置は、前記点検項目を前記プラントのオペレータに通知する点検項目通知部と、通知した前記点検項目に係る点検結果を取得する点検結果取得部と、前記点検結果を含む点検結果画面を出力する点検結果出力部とを備えるものであってよい。【０００９】
本発明の第４の態様によれば、第３の態様に係るプラント管理装置は、前記点検結果画面を出力した後に、前記プラントに適用可能なサービスメニューのうち、前記要因候補に関するものを含むサービスメニュー画面を出力するサービスメニュー出力部をさらに備えるものであってよい。【００１０】
本発明の第５の態様によれば、第１から第４の何れかの態様に係るプラント管理装置は、前記プラントに関する複数のパラメータを取得するパラメータ取得部と、取得した前記複数のパラメータを含むパラメータ画面であって、前記複数のパラメータのうち正常範囲内にないパラメータを強調したパラメータ画面を出力するパラメータ出力部と、前記複数のパラメータのうち１つのパラメータの選択を受け付けるパラメータ選択部とをさらに備え、前記トレンドグラフ画面は、選択された前記パラメータに係る前記トレンドグラフを含むものであってよい。【００１１】
本発明の第６の態様によれば、第１から第５の何れかの態様に係るプラント管理装置は、前記要因候補画面は、前記要因候補と前記要因候補の確度とを含むものであってよい。【００１２】
本発明の第７の態様によれば、第１から第６の何れかの態様に係るプラント管理装置は、前記出力指示入力部は、前記トレンドグラフ画面のうち強調された箇所の選択により、前記出力指示の入力を受け付けるものであってよい。【００１３】
本発明の第８の態様によれば、プラント管理方法は、プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を表示することと、前記トレンドグラフ画面の前記マーカー表示に埋め込まれたリンク情報に基づいて異常状態の対策が必要か否かを判断することと、前記異常状態の対策が必要であると判断した場合に、前記トレンドグラフ画面の表示中に、前記異常状態の発生要因の推定結果である要因候補の出力指示を入力することと、前記出力指示が入力された場合に、前記要因候補を含む要因候補画面を表示することとを有する。
【００１４】
本発明の第９の態様によれば、プログラムは、コンピュータに、プラントに関するパラメータのうち異常状態にあるものに係るトレンドグラフであって、前記パラメータが正常範囲から逸脱した箇所にリンク情報が埋め込まれたマーカー表示を付し、強調したものを含むトレンドグラフ画面を出力することと、前記トレンドグラフ画面の出力後に、前記マーカー表示に埋め込まれたリンク情報の前記異常状態の発生要因の推定結果である要因候補の出力指示の入力を受け付けることと、前記出力指示が入力された場合に、前記要因候補を含む要因候補画面を出力することとを実行させる。
【００１５】
本発明の第１０の態様によれば、プラント管理装置は、プラントに関するパラメータのうち異常状態にあるものに係るトレンドグラフであって、前記パラメータが正常範囲から逸脱した箇所にリンク情報が埋め込まれたマーカー表示を付し、を強調したものを含むトレンドグラフ画面を表示し、前記トレンドグラフ画面と同時に、または前記トレンドグラフ画面に連続して、前記マーカー表示に埋め込まれたリンク情報の前記異常状態の発生要因の推定結果である要因候補を含む要因候補画面を表示する。
【発明の効果】
【００１６】
上記態様のうち少なくとも１つの態様によれば、プラント管理装置は、トレンドグラフ画面の出力後に異常状態の要因候補の出力指示の入力を受け付け、入力に従って要因候補画面を出力する。これにより、プラント管理装置は、異常状態の対策の必要性を利用者に認識させた上で、異常状態の要因候補を利用者に提示することができる。
【図面の簡単な説明】
【００１７】
【図１】第１の実施形態に係るプラント管理システムの構成を示すシステム構成図である。
【図２】第１の実施形態に係るプラント監視装置の構成を示す概略ブロック図である。
【図３】第１の実施形態に係るプラント管理装置の動作を示すフローチャートである。
【図４】ＫＰＩ画面の一例を示す図である。
【図５】トレンドグラフ画面の一例を示す図である。
【図６】要因候補画面の一例を示す図である。
【図７】点検結果画面の一例を示す図である。
【図８】サービスメニュー画面の一例を示す図である。
【図９】他の実施形態に係るプラント管理装置の動作を示すフローチャートである。
【図１０】トレンド−要因候補画面の一例を示す図である。
【図１１】少なくとも１つの実施形態に係るコンピュータの構成を示す概略ブロック図である。
【発明を実施するための形態】
【００１８】
以下、図面を参照しながら実施形態について詳しく説明する。
図１は、第１の実施形態に係るプラント管理システムの構成を示すシステム構成図である。
プラント管理システム１は、プラントの情報を利用者に提示するシステムである。プラント管理システム１は、プラント管理装置１０、プラント監視装置２０、利用者情報データベース３０、管理者端末４０、オペレータ端末５０を備える。
管理者端末４０およびオペレータ端末５０は、インターネットＮ１を介してプラント管理装置１０に接続される。また、プラント管理装置１０、プラント監視装置２０、利用者情報データベース３０は、それぞれイントラネットＮ２を介して接続される。つまり、管理者端末４０およびオペレータ端末５０は、プラント監視装置２０および利用者情報データベース３０と直接通信を行うことができない。なお、プラント管理装置１０は、リバースプロキシサーバを介してインターネットＮ１に接続されてもよい。
【００１９】
プラント管理装置１０は、プラント監視装置２０および利用者情報データベース３０から情報を集約し、管理者端末４０にプラントに関する情報を提供する。
プラント監視装置２０は、プラントに設置された複数のセンサからプラントの状態量を収集し、プラントの状態を監視する。収集される状態量の例としては、大気圧、大気温度、大気の相対湿度、圧縮機の入口差圧、圧縮機の出口空気温度、圧縮機の出口空気圧力、燃料圧力、燃料温度、燃料発熱量、燃料組成、燃料流量、冷却蒸気圧力、冷却蒸気温度、冷却蒸気流量、冷却空気の温度、冷却空気の流量、排気温度、吸気圧力損失、排気圧力損失、発電機の発電電力、発電電流、発電電圧などが挙げられる。プラント監視装置２０は、収集した状態量に基づいてプラントの発電設備（例えば、ガスタービン）ごとのＫＰＩ（Key Performance Indicator）を生成する。ＫＰＩの例としては、熱消費率、出力、排出原単位などが挙げられる。ＫＰＩは、プラントに関するパラメータである。プラント監視装置２０は、収集した状態量に基づいてプラントの発電設備が異常状態であるか否かを判定する。プラント監視装置２０は、プラントが異常状態であると判定した場合に、収集した状態量に基づいて異常状態の発生要因を推定する。
利用者情報データベース３０は、利用者ごとに、当該利用者のプラントへの適用が推奨されるサービスメニュー（アップグレードメニュー、メンテナンスメニュー）と当該サービスメニューの適用箇所とを関連付けて記憶する。
【００２０】
管理者端末４０は、プラントの管理者によって用いられる端末である。管理者端末４０は、表示部と入力部とを備える。プラント管理装置１０からプラントに関する情報を受信して当該情報を表示する。
オペレータ端末５０は、プラントの点検を行うオペレータによって用いられる端末である。オペレータ端末５０は、表示部と入力部とを備える。オペレータ端末５０は、プラント管理装置１０からプラントの点検項目を受信して当該点検項目を表示する。オペレータ端末５０は、オペレータにより点検項目の点検結果の入力を受け付け、当該点検結果をプラント管理装置１０に送信する。
【００２１】
図２は、第１の実施形態に係るプラント管理装置の構成を示す概略ブロック図である。  プラント管理装置１０は、情報収集部１１、画面生成部１２、画面送信部１３、指示受信部１４、要因候補推定部１５、点検項目通知部１６、点検結果受信部１７を備える。  情報収集部１１は、イントラネットＮ２を介してプラント監視装置２０および利用者情報データベース３０から情報を収集する。具体的には、情報収集部１１は、プラント監視装置２０からＫＰＩおよび異常状態の推定結果を受信する。また情報収集部１１は、利用者情報データベース３０からサービスメニューを受信する。情報収集部１１は、パラメータ取得部、推定結果取得部、およびサービスメニュー取得部の一例である。
画面生成部１２は、情報収集部１１が収集した情報に基づいて管理者端末４０に表示させる画面を生成する。具体的には、画面生成部１２は、プラントに係る複数のＫＰＩを含むＫＰＩ画面（パラメータ画面）、ＫＰＩの経時的な推移を表すトレンドグラフを含むトレンドグラフ画面、異常状態の発生要因の推定結果である複数の要因候補を含む要因候補画面、要因候補に係る点検結果を含む点検結果画面、およびサービスメニューを含むサービスメニュー画面を生成する。
画面送信部１３は、画面生成部１２が生成した画面をインターネットＮ１を介して管理者端末４０に送信する。画面送信部１３は、パラメータ出力部、グラフ出力部、要因候補出力部、点検結果出力部、サービスメニュー出力部の一例である。
指示受信部１４は、管理者端末４０から画面の出力指示および点検項目の通知指示を受信する。指示受信部１４は、パラメータ選択部、出力指示入力部、要因候補選択部の一例である。
要因候補推定部１５は、情報収集部が収集した異常状態の推定結果に基づいて、異常状態の発生要因の候補である要因候補を推定する。
点検項目通知部１６は、指示受信部１４が受信した点検項目の通知指示に従って、オペレータ端末５０に点検項目を通知する。
点検結果受信部１７は、オペレータ端末５０から点検項目の点検結果を受信する。点検結果受信部１７は、点検結果取得部の一例である。
【００２２】
次に、第１の実施形態に係るプラント管理システム１の動作について説明する。
プラント監視装置２０は、定期的にプラントに設けられたセンサからプラントの状態量を収集する。プラント監視装置２０は、収集した状態量に基づいてプラントを構成する発電設備別のＫＰＩを算出する。プラント監視装置２０は、算出したＫＰＩを、当該ＫＰＩの演算の基礎となる状態量の収集時刻に関連付けて内部データベースに記憶する。また、プラント監視装置２０は、発電設備に発生した異常状態の発生要因（発電設備の構成要素）それぞれの確度を算出する。確度の計算方法の一例として次の方法が挙げられる。まず過去に実際に生じた不適合（異常要因）とそのときの運転データを分析し、運転データと要因候補の相関行列を作成する。次に、現在の運転データを示すベクトルに、作成した相関行列を乗算することで、要因候補ごとの確度を求めることができる。
【００２３】
図３は、第１の実施形態に係るプラント管理装置の動作を示すフローチャートである。
プラント管理装置１０の情報収集部１１は、プラント監視装置２０からプラントの最新のＫＰＩを受信する（ステップＳ１）。次に、画面生成部１２は、受信したＫＰＩと、各ＫＰＩに予め設定された正常範囲とをそれぞれ比較する（ステップＳ２）。画面生成部１２は、各ＫＰＩを含むＫＰＩ画面を生成する（ステップＳ３）。図４は、ＫＰＩ画面の一例を示す図である。ＫＰＩ画面には、ＫＰＩを表示する複数のボックスＶ１１が格子状に配置される。ボックスＶ１１は、発電設備別に縦に並べられ、ＫＰＩの項目別に横に並べられる。このとき、画面生成部１２は、図４に示すように、ＫＰＩ画面に含まれるボックスＶ１１のうち、正常範囲を逸脱するＫＰＩに係るボックスＶ１１を、正常範囲内にあるＫＰＩに係るボックスＶ１１と異なる色で着色する（強調する）。各ボックスＶ１１には、当該ボックスＶ１１に係るＫＰＩの項目に関するトレンドグラフ画面へのリンク情報が埋め込まれている。当該リンク情報には、ＫＰＩの項目を識別する識別情報が含まれる。一方、ＫＰＩ画面には、要因候補画面、点検結果画面、サービスメニュー画面へのリンク情報が含まれない。
画面送信部１３は、画面生成部１２が生成したＫＰＩ画面を管理者端末４０に送信する（ステップＳ４）。これにより、管理者端末４０は、受信したＫＰＩ画面を管理者端末４０の表示部に表示する。
【００２４】
管理者は、管理者端末４０に表示されたＫＰＩ画面を視認し、強調表示されたボックスＶ１１の有無を確認することで、プラントが正常であるか否かを判断する。管理者は、管理者端末４０の入力部を介して任意のボックスＶ１１を選択することで、トレンドグラフ画面の出力指示をプラント管理装置１０に送信することができる。具体的には、管理者端末４０は、選択されたボックスＶ１１に埋め込まれたリンク情報に基づいてトレンドグラフ画面の出力指示を生成する。
【００２５】
プラント管理装置１０の指示受信部１４は、ＫＰＩ画面の送信後、管理者端末４０からのトレンドグラフ画面の出力指示の受信を待機する（ステップＳ５）。つまり、指示受信部１４は、ＫＰＩ画面に含まれる複数のＫＰＩのうち１つのＫＰＩの選択を受け付ける。指示受信部１４がトレンドグラフ画面の出力指示を受信すると、情報収集部１１は、プラント監視装置２０から、出力指示に含まれる項目に係る発電設備別のＫＰＩの時系列と、プラントの発電効率の時系列を受信する（ステップＳ６）。
【００２６】
次に、画面生成部１２は、受信した発電設備別のＫＰＩの時系列およびプラントの発電効率の時系列に関するトレンドグラフ画面を生成する（ステップＳ７）。図５は、トレンドグラフ画面の一例を示す図である。トレンドグラフ画面は、発電設備別のＫＰＩのトレンドグラフＶ２１と、プラントの発電効率のトレンドグラフＶ２２とを含む。ＫＰＩのトレンドグラフＶ２１は横軸を時刻とし、縦軸をＫＰＩの値とする。発電効率のトレンドグラフＶ２２は、横軸を時刻とし、縦軸を発電効率の値とする。このとき、画面生成部１２は、図５に示すように、ＫＰＩのトレンドグラフＶ２１のうち、ＫＰＩ正常範囲を逸脱する部分にマーカーＶ２３を付す（強調する）。つまり、画面生成部１２は、管理者がＫＰＩのうち異常状態にあるものを表示するボックスを選択した場合、ＫＰＩのうち異常状態にあるものに係るトレンドグラフであって、ＫＰＩが正常範囲から逸脱した箇所を強調したものを含むトレンドグラフ画面を生成する。マーカーＶ２３には、当該マーカーＶ２３が付されたトレンドグラフＶ２１に係る発電設備に関する要因候補画面へのリンク情報が埋め込まれている。当該リンク情報には、発電設備を識別する識別情報が含まれる。一方、マーカーＶ２３以外の部分には、要因候補画面へのリンク情報が埋め込まれない。これにより、管理者の意図に反して要因候補画面へ遷移することを防ぐことができる。また、トレンドグラフ画面には、点検結果画面、サービスメニュー画面へのリンク情報が含まれない。
画面送信部１３は、画面生成部１２が生成したトレンドグラフ画面を管理者端末４０に送信する（ステップＳ８）。これにより、管理者端末４０は、受信したトレンドグラフ画面を管理者端末４０の表示部に表示する。
【００２７】
管理者は、管理者端末４０に表示されたトレンドグラフ画面を視認し、強調表示された部分を確認することで、異常状態の対策が必要か否かを判断する。管理者は、異常状態の対策が必要であると判断した場合に、トレンドグラフ画面の表示中に、管理者端末４０の入力部を介してマーカーＶ２３を選択することで、要因候補画面の出力指示をプラント管理装置１０に送信することができる。具体的には、管理者端末４０は、選択されたマーカーＶ２３に埋め込まれたリンク情報に基づいて要因候補画面の出力指示を生成する。
【００２８】
プラント管理装置１０の指示受信部１４は、トレンドグラフ画面の送信後、管理者端末４０からの要因候補画面の出力指示の受信を待機する（ステップＳ９）。つまり、指示受信部１４は、要因候補の出力指示の入力を受け付ける。指示受信部１４が要因候補画面の出力指示を受信すると、情報収集部１１は、プラント監視装置２０から、出力指示に含まれる識別情報が示す発電設備に発生した異常状態の発生要因と、各発生要因に係る点検項目と、各発生要因の確度とを受信する（ステップＳ１０）。
【００２９】
次に、要因候補推定部１５は、受信した確度に基づいて、複数の発生要因の中から要因候補を絞り込む（ステップＳ１１）。例えば、要因候補推定部１５は、発生要因のうち確度が最も高い所定数の発生要因を要因候補として推定する。また例えば、要因候補推定部１５は、発生要因のうち確度が所定の閾値以上のものを要因候補として推定する。
次に、画面生成部１２は、特定した要因候補を含む要因候補画面を生成する（ステップＳ１２）。図６は、要因候補画面の一例を示す図である。要因候補画面は、発電設備の外観図Ｖ３１と、複数の要因候補とその確度との関係を示すグラフＶ３２とを含む。このとき、画面生成部１２は、図６に示すように、発電設備の外観図Ｖ３１のうち、要因候補に係る部分にマーカーＶ３３を付す（強調する）。当該マーカーＶ３３には、当該マーカーＶ３３が付された要因候補に関する点検項目のポップアップウィンドウＶ３４を表示させるイベントハンドラが埋め込まれている。ポップアップウィンドウＶ３４には、要因候補に関する点検項目のリストＶ３５と、リストＶ３５の中から選択された１つまたは複数の点検項目をオペレータに通知するためのボタンＶ３６とが含まれる。ボタンＶ３６には、選択された点検項目の通知指示を送信させるイベントハンドラが埋め込まれている。
画面送信部１３は、画面生成部１２が生成した要因候補画面を管理者端末４０に送信する（ステップＳ１３）。これにより、管理者端末４０は、受信した要因候補画面を管理者端末４０の表示部に表示する。
【００３０】
管理者は、管理者端末４０に表示された要因候補画面を視認し、要因候補とその確度との関係を示すグラフＶ３２を確認する。管理者は、点検対象とすべき要因候補を決定すると、管理者端末４０の入力部を介してマーカーＶ３３を選択することで、管理者端末４０に選択された要因候補に係る点検項目のポップアップウィンドウを表示させる。具体的には、管理者端末４０は、選択されたマーカーＶ３３に埋め込まれたイベントハンドラに基づいてポップアップウィンドウＶ３４を表示する。そして、管理者は、管理者端末４０の入力部を介してリストＶ３５の中からオペレータに点検させる点検項目を選択し、ボタンＶ３６を押下することで、プラント管理装置１０に点検項目の通知指示を送信する。具体的には、管理者端末４０は、押下されたボタンに埋め込まれたイベントハンドラに基づいて点検項目の通知指示を送信する。
【００３１】
プラント管理装置１０の指示受信部１４は、要因候補画面の送信後、管理者端末４０からの点検項目の通知指示の受信を待機する（ステップＳ１４）。指示受信部１４が点検項目の通知指示を受信すると、点検項目通知部１６は、受信した通知指示に従って、点検項目をオペレータ端末５０に通知する（ステップＳ１５）。つまり、点検項目通知部１６は、受信した通知指示に含まれる点検項目（管理者によってリストＶ３５から選択された１つまたは複数の点検項目）を、オペレータ端末５０に通知する。
【００３２】
オペレータ端末５０は、プラント管理装置１０から点検項目の通知を受信すると、通知された点検項目を表示部に表示する。オペレータは、オペレータ端末５０に表示された点検項目に従ってプラントの点検を行い、その点検結果をプラント管理装置１０に送信する。
【００３３】
プラント管理装置１０の点検結果受信部１７は、点検項目の通知指示の送信後、オペレータ端末５０からの点検結果の受信を待機する（ステップＳ１６）。点検結果受信部１７が点検結果を受信すると、画面生成部１２は、受信した点検結果を含む点検結果画面を生成する（ステップＳ１７）。図７は、点検結果画面の一例を示す図である。点検結果画面は、要因候補に関する点検項目のリストＶ３５と、サービスメニューの表示ボタンＶ３７とが含まれる。リストＶ３５に含まれる点検項目のうち、オペレータによって点検された点検項目には、チェックマークが付される。サービスメニューの表示ボタンＶ３７には、点検が完了した要因候補に関するサービスメニュー画面へのリンク情報が埋め込まれている。当該リンク情報には、サービスメニューの適用箇所の識別情報として、ステップＳ１４で受信した点検項目の通知指示に含まれる要因候補の識別情報が含まれる。
画面送信部１３は、画面生成部１２が生成した点検結果画面を管理者端末４０に送信する（ステップＳ１８）。これにより、管理者端末４０は、受信した点検結果画面を管理者端末４０の表示部に表示する。
【００３４】
管理者は、管理者端末４０に表示された点検結果画面を視認し、リストＶ３５に表される点検結果を確認する。また管理者は、点検結果画面に含まれるサービスメニューの表示ボタンＶ３７を押下することで、サービスメニュー画面の出力指示をプラント管理装置１０に送信することができる。具体的には、管理者端末４０は、サービスメニューの表示ボタンＶ３７に埋め込まれたリンク情報に基づいてサービスメニュー画面の出力指示を生成する。
【００３５】
プラント管理装置１０の指示受信部１４は、点検結果画面の送信後、管理者端末４０からのサービスメニュー画面の出力指示の受信を待機する（ステップＳ１９）。指示受信部１４がサービスメニュー画面の出力指示を受信すると、情報収集部１１は、利用者情報データベース３０から、出力指示に含まれる適用箇所に関連付けられたサービスメニューを受信する（ステップＳ２０）。
【００３６】
次に、画面生成部１２は、受信したサービスメニューを含むサービスメニュー画面を生成する（ステップＳ２１）。図８は、サービスメニュー画面の一例を示す図である。サービスメニュー画面は、サービスメニューの適用箇所、サービスメニューの内容、およびサービスメニューの適用による効果（例えば、効率の向上など）を示す情報を含む。
画面送信部１３は、画面生成部１２が生成したサービスメニュー画面を管理者端末４０に送信する（ステップＳ２２）。これにより、管理者端末４０は、受信したサービスメニュー画面を管理者端末４０の表示部に表示する。
【００３７】
管理者は、管理者端末４０に表示されたサービスメニュー画面を確認することで、サービスメニューの適用の要否を判断する。管理者は、当該サービスメニューをブックマークすることができる。これにより、管理者は、プラント管理装置１０により推奨されたサービスメニューを後で確認することができる。また、ブックマークされたサービスメニューに係る情報は、プラント管理装置１０または利用者情報データベース３０に記録されてよい。これにより、部品供給者やメンテナンス業者にサービスメニューに係る需要を通知することができる。
【００３８】
このように、第１の実施形態によれば、プラント管理装置１０は、ＫＰＩのトレンドグラフであってＫＰＩが正常範囲から逸脱した箇所を強調したものを含むトレンドグラフ画面を出力し、その後、異常状態の要因候補の出力指示の入力を受け付け、要因候補を含む要因候補画面を出力する。これにより、プラント管理装置１０は、トレンドグラフの表示により異常状態の対策の必要性を管理者に認識させた上で、異常状態の要因候補を利用者に提示することができる。つまり、プラント管理装置１０は、管理者のユーザエクスペリエンスに沿って異常状態の要因候補を提示することができる。なお、他の実施形態においては、プラント管理装置１０は、ＫＰＩ画面に代えて、プラントに関する他のパラメータのトレンドグラフを含むパラメータ画面を出力してもよい。
【００３９】
また、第１の実施形態によれば、プラント管理装置１０が出力する、要因候補画面には、複数の要因候補と、各要因候補に係る点検項目とが含まれる。これにより、管理者は、提示された要因候補の中から点検の対象とする要因候補を選択し、当該要因候補の点検項目を確認することができる。なお、他の実施形態に係るプラント管理装置１０は、これに限られず、例えば１つの要因候補のみを含む要因候補画面を出力してもよいし、点検項目を含まない要因候補画面を出力してもよい。
また、第１の実施形態によれば、要因候補画面には、要因候補とその要因候補の確度とが含まれる。これにより、管理者は、提示された確度に基づいて点検の対象とする要因候補を決定することができる。なお、他の実施形態に係るプラント管理装置１０は、これに限られず、例えば確度を含まない要因候補画面を出力してもよい。
【００４０】
また、第１の実施形態によれば、プラント管理装置１０は、要因候補画面に含まれる点検項目をプラントのオペレータに通知し、その点検結果を含む点検結果画面を出力する。これにより、管理者は、オペレータに点検を指示し、その点検結果を確認することができる。なお、他の実施形態に係るプラント管理装置１０はこれに限られない。例えば管理者がプラント管理装置１０を介さない方法でオペレータに点検を指示し、また点検結果を確認することができる場合、他の実施形態に係るプラント管理装置１０は、点検項目の通知機能および点検結果画面の出力機能を有しなくてもよい。
【００４１】
また、第１の実施形態によれば、プラント管理装置１０は、点検結果画面を出力した後に、プラントに適用可能なサービスメニューのうち、要因候補に関するものを含むサービスメニュー画面を出力する。これにより、プラント管理装置１０は、管理者にプラントがサービスメニューの適用の必要性を認識させた上で、サービスメニューを提示することができる。つまり、プラント管理装置１０は、管理者のユーザエクスペリエンスに沿ってサービスメニューを提示することができる。なお、他の実施形態に係るプラント管理装置１０は、これに限られず、例えばサービスメニュー画面を出力しなくてもよいし、点検結果画面の出力より前にサービスメニュー画面を出力可能であってもよい。
【００４２】
また、第１の実施形態によれば、プラント管理装置１０は、プラントに関するＫＰＩを含み、正常範囲内にないＫＰＩを強調したＫＰＩ画面を出力し、ＫＰＩ画面の中から１つのＫＰＩの選択を受け付けた後、選択されたＫＰＩに係るトレンドグラフ画面を出力する。これにより、プラント管理装置１０は、管理者に正常範囲内にないＫＰＩを認識させた上で、そのＫＰＩに係るトレンドグラフの表示により異常状態の対策の必要性を管理者に認識させることができる。なお、他の実施形態に係るプラント管理装置１０は、これに限られず、例えばＫＰＩ画面を出力することなく、正常範囲を逸脱したＫＰＩに係るトレンドグラフ画面を出力してもよい。
【００４３】
また、第１の実施形態によれば、プラント管理装置１０は、トレンドグラフ画面のうち強調された箇所の選択により、要因候補の出力指示の入力を受け付ける。これにより、管理者の意図に反して要因候補画面へ遷移することを防ぐことができる。なお、他の実施形態に係るプラント管理装置１０は、これに限られず、例えばトレンドグラフ画面に要因候補の出力指示を送信するためのボタンが設けられ、これの押下により要因候補の出力指示の入力を受け付けてもよい。
【００４４】
以上、図面を参照して一実施形態について詳しく説明してきたが、具体的な構成は上述のものに限られることはなく、様々な設計変更等をすることが可能である。
例えば、第１の実施形態に係るプラント管理システム１では、プラント管理装置１０がＫＰＩ画面、トレンドグラフ画面、要因候補画面、点検結果画面、およびサービスメニュー画面を生成して管理者端末４０に送信するが、これに限られない。例えば、他の実施形態に係るプラント管理システム１では、管理者端末４０がＫＰＩ画面、トレンドグラフ画面、要因候補画面、点検結果画面、およびサービスメニュー画面を生成して自装置の表示部に出力してもよい。この場合、プラント管理装置１０は、各画面の生成に要する情報を管理者端末４０に送信する。
【００４５】
第１の実施形態に係るプラント管理システム１では、プラント管理装置１０が、トレンドグラフ画面に続いて要因候補画面を表示するが、これに限られない。例えば、他の実施形態に係るプラント管理システム１では、プラント管理装置１０がトレンドグラフ画面と同時に要因候補画面を表示してもよい。図９は、他の実施形態に係るプラント管理装置の動作を示すフローチャートである。以下の説明および図９に係るフローチャートでは、第１の実施形態と同じ処理を行うステップに同じ番号を付している。
【００４６】
プラント管理装置１０の情報収集部１１は、ステップＳ１からステップＳ５の処理により、管理者端末４０の表示部にＫＰＩ画面を表示させ、トレンドグラフ画面の出力指示の受信を待機する。指示受信部１４がトレンドグラフ画面の出力指示を受信すると、情報収集部１１は、プラント監視装置２０から、出力指示に含まれる項目に係る発電設備別のＫＰＩの時系列と、プラントの発電効率の時系列を受信する（ステップＳ６）。
【００４７】
情報収集部１１は、複数の発電設備のうち、ＫＰＩの値がＫＰＩ正常範囲を逸脱しているものを特定する（ステップＳ１０１）。情報収集部１１は、プラント監視装置２０から、特定した発電設備に発生した異常状態の発生要因と、各発生要因に係る点検項目と、各発生要因の確度とを受信する（ステップＳ１０２）。次に、要因候補推定部１５は、受信した確度に基づいて、複数の発生要因の中から要因候補を絞り込む（ステップＳ１０３）。
【００４８】
次に、画面生成部１２は、受信した発電設備別のＫＰＩの時系列および特定した要因候補を含むトレンド−要因候補画面を生成する（ステップＳ１０４）。図１０は、トレンド−要因候補画面の一例を示す図である。トレンド−要因候補画面は、発電設備別のＫＰＩのトレンドグラフＶ２１と、発電設備の外観図Ｖ３１と、複数の要因候補とその確度との関係を示すグラフＶ３２とを含む。
このとき、画面生成部１２は、図１０に示すように、ＫＰＩのトレンドグラフＶ２１のうち、ＫＰＩ正常範囲を逸脱する部分にマーカーＶ２３を付す（強調する）。また、画面生成部１２は、図１０に示すように、発電設備の外観図Ｖ３１のうち、要因候補に係る部分にマーカーＶ３３を付す（強調する）。当該マーカーＶ３３には、当該マーカーＶ３３が付された要因候補に関する点検項目のポップアップウィンドウＶ３４を表示させるイベントハンドラが埋め込まれている。ポップアップウィンドウＶ３４には、要因候補に関する点検項目のリストＶ３５と、リストＶ３５の中から選択された１つまたは複数の点検項目をオペレータに通知するためのボタンＶ３６とが含まれる。ボタンＶ３６には、選択された点検項目の通知指示を送信させるイベントハンドラが埋め込まれている。
画面送信部１３は、画面生成部１２が生成したトレンド−要因候補画面を管理者端末４０に送信する（ステップＳ１０５）。これにより、管理者端末４０は、受信したトレンド−要因候補画面を管理者端末４０の表示部に表示する。トレンド−要因候補画面を表示することは、トレンドグラフ画面と要因候補画面を同時に表示することに等しい。
【００４９】
以降、プラント管理装置１０は、ステップＳ１４からステップＳ２２の処理により、点検結果画面およびサービスメニュー画面を管理者端末４０の表示部に表示させる。
【００５０】
図１１は、少なくとも１つの実施形態に係るコンピュータの構成を示す概略ブロック図である。
コンピュータ１００は、ＣＰＵ１１０、主記憶装置１２０、補助記憶装置１３０、インタフェース１４０を備える。
上述のプラント管理装置１０は、コンピュータ１００に実装される。そして、上述した各処理部の動作は、プログラムの形式で補助記憶装置１３０に記憶されている。ＣＰＵ１１０は、プログラムを補助記憶装置１３０から読み出して主記憶装置１２０に展開し、当該プログラムに従って上記処理を実行する。
【００５１】
補助記憶装置１３０の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。補助記憶装置１３０は、コンピュータ１００のバスに直接接続された内部メディアであってもよいし、インタフェース１４０または通信回線を介してコンピュータ１００に接続される外部メディアであってもよい。また、このプログラムが通信回線によってコンピュータ１００に配信される場合、配信を受けたコンピュータ１００が当該プログラムを主記憶装置１２０に展開し、上記処理を実行してもよい。少なくとも１つの実施形態において、補助記憶装置１３０は、一時的でない有形の記憶媒体である。
【００５２】
また、当該プログラムは、前述した機能の一部を実現するためのものであってもよい。さらに、当該プログラムは、前述した機能を補助記憶装置１３０に既に記憶されている他のプログラムとの組み合わせで実現するもの、いわゆる差分ファイル（差分プログラム）であってもよい。
【産業上の利用可能性】
【００５３】
上記実施形態によれば、プラント管理装置は、異常状態の対策の必要性を利用者に認識させた上で、異常状態の要因候補を利用者に提示することができる。
【符号の説明】
【００５４】
１  プラント管理システム
１０  プラント管理装置
２０  プラント監視装置
３０  利用者情報データベース
４０  管理者端末
５０  オペレータ端末
１１  情報収集部
１２  画面生成部
１３  画面送信部
１４  指示受信部
１５  要因候補特定部
１６  点検項目通知部
１７  点検結果受信部
【図１】
0006667664.tif 000002
【図２】
0006667664.tif 000003
【図３】
0006667664.tif 000004
【図４】
0006667664.tif 000005
【図５】
0006667664.tif 000006
【図６】
0006667664.tif 000007
【図７】
0006667664.tif 000008
【図８】
0006667664.tif 000009
【図９】
0006667664.tif 000010
【図１０】
0006667664.tif 000011
【図１１】
0006667664.tif 000012